(57)【要約】【課題】肉厚を増加させることなく全体的な強度向上を図ることのできるフレーム及びこれを用いたホワイトボードを提供すること。【解決手段】板状体１１の外周側を囲むようにフレーム１２が配置されている。このフレーム１２は、板状体１１の外周部を受け入れる受容部形成体１５と、当該受容部形成体１５の外面側に設けられた補強体１６とからなる。補強体１６は、受容部形成体１５における平面部１８の前部から後部に向かって湾曲しながら延びて平面部１８との間に閉塞された内部空間Ｓを形成するパイプ状に設けられている。受容部形成体１５の前部に位置する前面部１９には、前方に向かって開放する凹部１９Ａが設けられており、当該凹部１９Ａを利用してトレイ１３等のオプションを引っ掛けて支持できるようになっている。【選択図】図３
2008055606.tif 000002
【特許請求の範囲】
【請求項１】
ホワイトボードを構成する板状体の外周側に配置されるフレームにおいて、
前記板状体の外周部を受け入れる受容部形成体と、この受容部形成体の外面側に設けられた補強体とからなり、
前記補強体は、前記受容部形成体を利用して、横断面形状において閉塞された内部空間を形成する形状に設けられていることを特徴とするフレーム。
【請求項２】
前記受容部形成体は、前記板状体の外周面に相対する平面部と、この平面部の前部に連設されて前記板状体の前面側に位置する前面部と、前記平面部の後部に連設されて前記板状体の後面側に位置する後面部とを備え、
前記補強体は、前記内部空間を形成するように前記平面部の前後に跨る膨出形状に設けられていることを特徴とする請求項１記載のフレーム。
【請求項３】
前記前面部は、横断面形状が屈曲形状に設けられていることを特徴とする請求項２記載のフレーム。
【請求項４】
板状体と、当該板状体の外周を囲むフレームとを備えたホワイトボードにおいて、
前記フレームは、前記板状体の外周部を受け入れる受容部形成体と、この受容部形成体の外面側に設けられた補強体とからなり、
前記補強体は、前記受容部形成体を利用して、横断面形状において閉塞された内部空間を形成する形状に設けられていることを特徴とするホワイトボード。
【請求項５】
前記受容部形成体は、前記板状体の外周面に相対する平面部と、この平面部の前部に連設されて前記板状体の前面側に位置する前面部と、前記平面部の後部に連設されて前記板状体の後面側に位置する後面部とを備え、
前記補強体は、前記内部空間を形成するように前記平面部の前後に跨る膨出形状に設けられていることを特徴とする請求項４記載のホワイトボード。
【請求項６】
前記前面部は、横断面形状を屈曲させることで形成される凹部を含み、当該凹部及び前記補強体を利用して引っ掛け可能なオプションを更に含むことを特徴とする請求項５記載のホワイトボード。
【発明の詳細な説明】
【技術分野】
【０００１】
本発明は、フレーム及びこれを用いたホワイトボードに係り、更に詳しくは、フレームを形成する板材の肉厚を厚くすることなく強度向上を図り、ホワイトボード全体としての強度を高めることのできるフレーム及びこれを用いたホワイトボードに関する。
【背景技術】
【０００２】
公知のホワイトボードは、筆記面若しくは表示面を形成する板状体と、当該板状体の外周側に配置されて額縁状をなすフレームとを備えて構成されている。一般的なフレームは、アルミニウム等の軽金属を素材とした押出成形品により構成されており、その横断面形状をコ字状若しくは凹状として板状体の外周部が受容される形状に設けられている。
しかしながら、凹状の横断面形状を有するフレームにあっては、板状体の平面積を大きくして壁面等に吊り下げて保持した場合に、全体的な重量によってフレーム自体が撓んでしまう、という不都合がある。
【０００３】
そこで、横断面形状が凹状となるフレームの更に外周側に補強部を設けることによりフレーム自体の強度向上を図る構成が提案されている（例えば、特許文献１参照）。
【０００４】
【特許文献１】実用新案登録第３０９９８２３号公報
【発明の開示】
【発明が解決しようとする課題】
【０００５】
しかしながら、特許文献１に記載されたフレームにあっては、補強部は一定の空間を有するものの、スリット状に開口する形状とされているため、閉塞された空間を形成する構造とはなっていない。そのため、ホワイトボード全体の重量が増したときの撓み抵抗は必ずしも十分とはなっていない。従って、フレームの更なる強度向上を図るためには、その肉厚を増大させて対応することが必要となり、却ってフレーム自体の重量が増加する、という不都合を招来する。
【０００６】
［発明の目的］
本発明は、このような不都合に着目して案出されたものであり、その目的は、肉厚を増加させることなく全体的な強度向上を図ることのできるフレーム及びこれを用いたホワイトボードを提供することにある。
また、本発明の他の目的は、部分的に屈曲形状となる領域を設けることによって強度向上を図るとともに、屈曲形状を形成する凹部を利用してトレイ等のオプションを装着することのできるフレーム及びホワイトボードを提供することにある。
【課題を解決するための手段】
【０００７】
前記目的を達成するため、本発明は、ホワイトボードを構成する板状体の外周側に配置されるフレームにおいて、
前記板状体の外周部を受け入れる受容部形成体と、この受容部形成体の外面側に設けられた補強体とからなり、
前記補強体は、前記受容部形成体を利用して、横断面形状において閉塞された内部空間を形成する形状に設けられる、という構成を採っている。
【０００８】
前記フレームにおいて、前記受容部形成体は、前記板状体の外周面に相対する平面部と、この平面部の前部に連設されて前記板状体の前面側に位置する前面部と、前記平面部の後部に連設されて前記板状体の後面側に位置する後面部とを備え、
前記補強体は、前記内部空間を形成するように前記平面部の前後に跨る膨出形状に設けられる、という構成を採ることができる。
【０００９】
また、前記前面部は、横断面形状が屈曲形状に設けられる、という構成を採ることが好ましい。
【００１０】
更に、本発明は、板状体と、当該板状体の外周を囲むフレームとを備えたホワイトボードにおいて、
前記フレームは、前記板状体の外周部を受け入れる受容部形成体と、この受容部形成体の外面側に設けられた補強体とからなり、
前記補強体は、前記受容部形成体を利用して、横断面形状において閉塞された内部空間を形成する形状に設けられる、という構成を採っている。
【００１１】
前記ホワイトボードにおいて、前記受容部形成体は、前記板状体の外周面に相対する平面部と、この平面部の前部に連設されて前記板状体の前面側に位置する前面部と、前記平面部の後部に連設されて前記板状体の後面側に位置する後面部とを備え、
前記補強体は、前記内部空間を形成するように前記平面部の前後に跨る膨出形状に設けられる、という構成を採ることができる。
【００１２】
また、前記ホワイトボードにおいて、前記前面部は、横断面形状を屈曲させることで形成される凹部を含み、当該凹部及び前記補強体を利用して引っ掛け可能なオプションを更に含む、という構成を採ることが好ましい。
【００１３】
なお、本明細書において、ホワイトボードとは、ホワイトボードはもとより、黒板や、印刷物等を貼り付けて掲示する掲示板等をも含む広い概念として用いられるものであり、正面側が筆記面若しくは表示面或いは掲示面となる板状体と、この板状体の外周側を囲むように配設されたフレームとを備えた構造体について用いられる。
【発明の効果】
【００１４】
本発明によれば、補強体が受容部形成体と相互に作用して閉塞された内部空間を形成するため、フレームに沿ってパイプが延びているのと同様の効果をもたらすものとなる。従って、フレームの強度向上が図れ、総合的な重量が増した場合であっても、撓み変形に対する抵抗が非常に強くなり、ホワイトボードを吊り下げて保持する場合であっても形状変化のない状態に維持することが可能となる。
また、受容部形成体の前面部は横断面形状において屈曲しているため、受容部形成体自体の強度向上も図ることができる。
しかも、この屈曲した領域を利用してオプションが装着可能に設けられているため、筆記具やイレーザーを載せ置くためのトレイ等を引っ掛けて支持可能となり、ねじ等の部材を用いる必要性も無くすことができる。
【発明を実施するための最良の形態】
【００１５】
以下、本発明の実施の形態を図面を参照しながら説明する。
【００１６】
図１には、本実施形態に係るホワイトボードの概略斜視図が示され、図２には、その分解した概略斜視図が示されている。これらの図において、ホワイトボード１０は、板状体１１と、当該板状体１１の外周側に位置するフレーム１２と、下端側に位置するフレーム１２に着脱自在に設けられたオプションとしてのトレイ１３と、板状体１１の各コーナー領域に配置されたキャップ１４とを備えて構成されている。ここで、板状体１１は、平面視略方形をなし、一般に、マーキングペンと称する筆記具で記載された文字等をイレーザーで消去可能な公知の表面加工が施されたものが採用されている。
【００１７】
前記フレーム１２は、図３ないし図５に示されるように、板状体１１の外周部を受け入れる受容部形成体１５と、この受容部形成体１５の外面側に設けられた補強体１６とにより構成されている。受容部形成体１５は、板状体１１の外周面に相対する平面部１８と、この平面部１８の前部に連設されて板状体１１の前面側に位置する前面部１９と、平面部１８の後部に連設されて板状体１１の後面側に位置する後面部２０とを備えて構成されている。平面部１８の後端は、後面部２０の基部よりも更に後方に突出する延長部１８Ａとして形成され、後述するトレイの回転規制を行うようになっている。
【００１８】
前記前面部１９は、横断面形状が略クランク型をなす屈曲形状に設けられている。すなわち、前面部１９の下半部は、前方に開放する凹部１９Ａが形成されている一方、上半部は後方に開放する凹部１９Ｂが形成されている。また、前記後面部２０は、その後面における中間高さ位置を部分的に凹ませた筋状部２０Ａ（図４，５参照）が形成され、当該筋状部２０Ａにねじ２２をねじ込んでフレーム１２が板状体１１に固定できるようになっている。
【００１９】
前記補強体１６は、前記受容部形成体１５の外面側に設けられており、横断面形状において閉塞された内部空間Ｓを形成するように設けられている。すなわち、前記平面部１８の前端から後部に向かって次第に膨出する湾曲面部１６Ａと、この湾曲面部１６Ａの後端部から平面部１８の後部に連なる鉛直面部１６Ｂとにより構成され、これにより、湾曲面部１８Ａ及び鉛直面部１６Ｂは、平面部１８と共に中空のパイプを形成することとなる。なお、鉛直面部１６Ｂの後面には、凹溝１６Ｃが形成されている。
【００２０】
前記トレイ１３は、図３に示されるように、前記湾曲面部１６Ａ及び鉛直面部１６Ｂの外面に沿う取付部２５と、この取付部２５の前端に連なるとともに、前記凹部１９Ａに引っ掛け可能に設けられた屈曲部２６と、取付部２５の前方に向かって略水平方向に突出する受け面部２７と、当該受け面部２７の前端から上方に向けられた起立部２８とにより構成されている。なお、取付部２５の後部内面には、前記凹溝１６Ｃに嵌合する突部２５Ａが形成されている。
【００２１】
前記キャップ１４は、上部キャップ１４Ａと下部キャップ１４Ｂとを含む。上部キャップ１４Ａは、板状体１１のコーナーに沿う略Ｌ字状をなし、図示しない一体的な脚部がフレーム１２の端部に挿入されて固定される。また、下部キャップ１４Ｂは、板状体１１の下端側に取り付けられるフレーム１１の長手方向両端側に位置して筆記具等が両端から脱落することのない閉塞部１４Ｃを備えた形状に設けられている。
【００２２】
以上の構成において、フレーム１２を板状体１１に取り付けるときは、受容部形成体１５内に板状体１１の外周部を受容させればよく、その際に、板状体１１の各コーナーに上部キャップ１４Ａ及び下部キャップ１４Ｂを装着すればよい。そして、フレーム１２を板状体１１に取り付けた状態で、後面部２０に形成された筋状部２０Ａの任意の位置にねじ２２をねじ込むことにより、フレーム１２を板状体１１に完全に固定することがでる。
また、板状体１１の下部に位置するフレーム１２には、図５に示されるように、トレイ１３を位置させ、同図中矢印で示されるように押し込み、回転操作することで、トレイ１３をフレーム１２に引っ掛けて支持させることができる。このようにしてトレイ１３が取り付けられた状態では、当該トレイ１３の後部上端は、前記延長部１８Ａの下面に突き当たって図３中反時計方向への回転が規制されるとともに、突部２５Ａが凹溝１６Ｃに嵌合して安定した姿勢を維持することとなる。
【００２３】
従って、このような実施形態によれば、フレーム１２にパイプ状となる領域が形成されることにより、フレーム１２の全体的な強度向上を図ることができ、ホワイトボード１０を吊り下げて保持するような場合に生じ得る撓み変形を効果的に防止することが可能となる。
【００２４】
本発明を実施するための最良の構成などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した構成は、本発明の理解を容易にするために例示的に記載したものであり、本発明を限定するものではないから、それらの形状などの限定の一部若しくは全部の限定を外した部材の名称での記載は、本発明に含まれるものである。
【００２５】
例えば、前記実施形態におけるホワイトボード１０は、板状体１１の各コーナーにキャップ１４Ａ、１４Ｂを配置する構成としてが、これらキャップを設けることなくフレーム１２で板状体１１の全周を囲むように構成してもよい。また、下部キャップ１４Ｂを上部キャップ１４Ａに替える態様としてもよい。
更に、フレーム１２は、板状体１１の四つの辺に沿う四部材を用いたが、単一のフレーム１２を用い、これを曲げ加工して閉ループ状に形成することも可能である。この場合、平面部１８を各コーナー領域においてもつなげたまま形成することとなり、各コーナー領域でのねじれ変形を閉ループ状のフレーム１２が回避し、さらに強度向上を図ることができる。
また、本実施形態では、トレイ１３をオプションとしてフレーム１２に装着したが、その他のオプション、例えば、マーキングペン等の筆記具を縦姿勢で収容できる筒状体を設けるとともに、当該筒状体に適宜な爪片を設けてフレーム１２に引っ掛けるようにしてもよい。
【図面の簡単な説明】
【００２６】
【図１】本発明がホワイトボードに適用された実施形態を示す概略斜視図。
【図２】図１の一部分解斜視図。
【図３】図１のＡ−Ａ線に沿う矢視端面図。
【図４】フレーム及びトレイの拡大側面図。
【図５】フレームにトレイを装着する要領を説明するための側面図。
【符号の説明】
【００２７】
１０  ホワイトボード
１１  板状体
１２  フレーム
１３  トレイ（オプション）
１５  受容部形成体
１６  補強体
１８  平面部
１９  前面部
１９Ａ  凹部
２０  後面部
Ｓ  内部空間
【図１】
2008055606.tif 000003
【図２】
2008055606.tif 000004
【図３】
2008055606.tif 000005
【図４】
2008055606.tif 000006
【図５】
2008055606.tif 000007